(57)【特許請求の範囲】
【請求項１】
水栓模型本体と、前記水栓模型本体に付設された水栓パイプ模型と、前記水栓パイプ模型の口から突出する流水模型と、前記水栓パイプ模型の口から突出した状態の前記流水模型に振動を付与する振動付与手段と、を備えたことを特徴とする水栓玩具。
【請求項２】
前記流水模型を前記水栓パイプ模型の口から出没させる水栓ハンドル模型を備え、前記振動付与手段は前記水栓ハンドル模型で前記流水模型を前記水栓パイプ模型の口から突出させた際に作動することを特徴とする請求項１に記載の水栓玩具。
【請求項３】
前記振動付与手段は、モータと、前記モータと前記流水模型とを連係し前記モータの動力によって前記流水模型を上下に振動させるカム機構とを備えることを特徴とする請求項１又は請求項２に記載の水栓玩具。
【請求項４】
前記カム機構は、前記モータの動力によって回転するカム原節と、前記流水模型に連結されるとともに前記カム原節に当接してシーソ動作するカム従節とを有する板カムによって構成され、前記カム原節の回転運動を前記流水模型の近似直線運動又は直線運動に変換することを特徴とする請求項３に記載の水栓玩具。
【請求項５】
前記流水模型は前記水栓パイプ模型の口から突出する部分が下方に向けて拡径するように円錐台状に形成されていることを特徴とする請求項１から請求項４のいずれか一項に記載の水栓玩具。
【請求項６】
請求項１から請求項５のいずれか一項に記載の水栓玩具と、前記水栓パイプ模型の口の下に設けられたシンク模型とを備えたことを特徴とするキッチン玩具。
【発明の詳細な説明】
【技術分野】
【０００１】
本発明は水栓玩具及びキッチン玩具に関する。
【背景技術】
【０００２】
従来、キッチン玩具に水栓玩具が組み込まれたものが知られている。この水栓玩具は水槽に貯留された液体を実際に汲み上げて水栓玩具の水栓パイプ模型の口から実際に流出させるものである（例えば、特許文献１参照）。
【先行技術文献】
【特許文献】
【０００３】
【特許文献１】特開平９−２７６５６１号公報
【発明の概要】
【発明が解決しようとする課題】
【０００４】
上記特許文献１のように液体を実際に水栓パイプ模型の口から流出させるものでは、リアル感はあるものの、外に液体が飛び散って床やテーブル等を汚してしまう問題がある。また、液体を誤飲してしまう危険性もある。さらに、液体を繰り返して使用する場合には、衛生の点でも問題がある。
本発明は、このような問題点に鑑みなされたもので、実際の液体を使用せずに、水栓パイプ模型からの流水をイメージさせることができる水栓玩具及びキッチン玩具を提供することを目的としている。
【課題を解決するための手段】
【０００５】
請求項１に記載の水栓玩具は、
水栓模型本体と、前記水栓模型本体に付設された水栓パイプ模型と、前記水栓パイプ模型の口から突出する流水模型と、前記水栓パイプ模型の口から突出した状態の前記流水模型に振動を付与する振動付与手段と、を備えたことを特徴とする。
【０００６】
請求項２に記載の水栓玩具は、請求項１に記載の水栓玩具であって、
前記流水模型を前記水栓パイプ模型の口から出没させる水栓ハンドル模型を備え、前記振動付与手段は前記水栓ハンドル模型で前記流水模型を前記水栓パイプ模型の口から突出させた際に作動することを特徴とする。
【０００７】
請求項３に記載の水栓玩具は、請求項１又は請求項２に記載の水栓玩具であって、
前記振動付与手段は、モータと、前記モータと前記流水模型とを連係し前記モータの動力によって前記流水模型を上下に振動させるカム機構とを備えることを特徴とする。
【０００８】
請求項４に記載の水栓玩具は、請求項３に記載の水栓玩具であって、
前記カム機構は、前記モータの動力によって回転するカム原節と、前記流水模型に連結されるとともに前記カム原節に当接してシーソ動作するカム従節とを有する板カムによって構成され、前記カム原節の回転運動を前記流水模型の近似直線運動又は直線運動に変換することを特徴とする。
【０００９】
請求項５に記載の水栓玩具は、請求項１から請求項４のいずれか一項に記載の水栓玩具であって、
前記流水模型は前記水栓パイプ模型の口から突出する部分が下方に向けて拡径するように円錐台状に形成されていることを特徴とする。
【００１０】
請求項６に記載のキッチン玩具は、請求項１から請求項５のいずれか一項に記載の水栓玩具と、前記水栓パイプ模型の口の下に設けられたシンク模型とを備えたことを特徴とする。
【発明の効果】
【００１１】
請求項１に記載の水栓玩具によれば、流水を象った流水模型を水栓パイプ模型の口から突出させ振動させるので、実際の水が口から出ているかのようなイメージを醸し出すことができる。
【００１２】
請求項２に記載の水栓玩具によれば、水栓ハンドル模型の操作によって流水模型を出没させるので、実際の水栓ハンドルを操作しているかのイメージが醸し出される。
【００１３】
請求項３に記載の水栓玩具によれば、カム機構がモータによって駆動されて流水模型を上下に振動させるので、実際の流水が水栓パイプの口から噴き出しているかのイメージが醸し出される。
【００１４】
請求項４に記載の水栓玩具によれば、板カムによってカム原節の回転運動が流水模型の近似直線運動又は直線運動に変換されるので、流水模型の動きによってより流水のイメージが醸し出される。
【００１５】
請求項５に記載の水栓玩具によれば、流水模型は水栓パイプ模型の口から突出する部分が下方に向けて拡径するように円錐台状に形成されているので、実際の流水が水栓パイプの口から噴き出しているかのイメージが醸し出される。
【００１６】
請求項６に記載のキッチン玩具によれば、水栓玩具から液体を流さないので、周りを汚すことなく楽しく遊ぶことができる。
【図面の簡単な説明】
【００１７】
【図１】実施形態１のキッチン玩具の斜視図である。
【図２】水栓模型の内部を示した斜視図である。
【図３】水栓模型の本体と水栓ハンドルとの関係を示した左側面図である。
【図４】カム従節と流水模型とを示した斜視図である。
【図５】加熱調理設備模型の各部品の配置構成を示した右側面図である。
【図６】爪支持部材とその爪支持部材を動作させる手段を示した斜視図である。
【図７】火力調節摘み模型及びその周辺を右斜め後方から示した斜視図である。
【図８】フライパン模型を示した斜視図である。
【図９】実施形態２の爪支持部材とその爪支持部材を動作させる手段を示した斜視図である。
【図１０】第２実施形態の加熱調理設備模型の各部品の配置構成を示した斜視図である。
【発明を実施するための形態】
【００１８】
以下、本発明の実施の形態を添付図面を参照して説明する。
［実施形態１］
《全体構成》
図１から図８は本発明の実施形態１を示すものある。
図１はキッチン玩具の斜視図である。このキッチン玩具１００は左側の洗浄設備模型（以下「洗浄設備」と言う。）１０と右側の加熱調理設備模型（以下「加熱調理設備」と言う。）６０とを一体化したもので、洗浄設備１０及び加熱調理設備６０の奥側にはキッチンバックパネル模型（以下「キッチンバックパネル」と言う。）１が設けられている。
このキッチン玩具１００は次のように使用される。
洗浄設備１０側の水栓玩具又は水栓模型（以下「水栓」と言う。）１１の水栓ハンドル模型（以下「水栓ハンドル」と言う。）１２を上方側に向けて回転操作すると、水栓１１の水栓パイプ模型（以下「水栓パイプ」と言う。）１３の口１３ａから流水模型１４（図２参照）が下方に突出し、この突出した部分が上下方向に小刻みに振動する。
また、この状態から水栓ハンドル１２を下方側に向けて操作して元に戻すと、水栓パイプ１３の口１３ａから流水模型１４が没する。そして、流水模型１４の振動が停止する。
一方、ゴトク模型（以下「ゴトク」と言う。）６２にフライパン模型（以下「フライパン」と言う。）６３を載せた後、加熱調理設備６０側の火力調節摘み模型（以下「火力調節摘み」と言う。）６１を所定方向に回すと、フライパン模型（以下「フライパン」と言う。）６３の中に入れられた調理品模型（図示せず。）が振動する。火力調節摘み６１の回転量を変化させると、この振動の速さを調節することができる。
電源には例えば電池が用いられる。
【００１９】
《細部構成》
（洗浄設備１０について）
洗浄設備１０はシンク模型（以下「シンク」と言う。）１５と水栓１１とを備えている。シンク１５には実際の水を貯留することもできる。シンク１５の下側には引き出し１６が設けられている。この引き出し１６は、キッチン玩具１００の筐体１００ａに対して実際に抜き差しすることができ、その中には小物を収容することができる。
【００２０】
図２は水栓１１の要部を示した斜視図である。水栓１１は、直立した本体（水栓模型本体）１１ａを有する。本体１１ａには水栓ハンドル１２が付設されている。水栓ハンドル１２は、水平方向に延在する軸１２ａ（図３参照）を中心に上下方向に回動可能に構成されている。
本体１１ａの上部にはモータ１７が横置き状態で設置されている。モータ軸にはピニオン歯車１８か付設されている。このピニオン歯車１８は、モータ軸に平行な軸１９ａに付設された歯車１９ｂに噛合している。この歯車１９ｂと同じ軸１９ａには、当該歯車１９ｂと同心的に歯車１９ｃが付設されている。この歯車１９ｃは、軸１９ａに平行な軸２０ａに付設された歯車２０ｂに噛合している。この歯車２０ｂと同じ軸２０ａには、当該歯車２０ｂと同心的に円板状のカム原節２０ｃが付設されている。このカム原節２０ｃの外周には半径方向外方に部分的に張り出す爪２０ｄが形成されている。モータ動力は、ピニオン歯車１８、歯車１９ｂ、歯車１９ｃ及び歯車２０ｂを経てカム原節２０ｃに伝達される。
なお、図示はしないが、歯車２０ｂとカム原節２０ｃとの間にはトルクリミッタが介装されている。このトルクリミッタは、モータ１７が回転中に流水模型１４に過負荷が作用した時などに、歯車２０ｂとカム原節２０ｃとの間の動力伝達経路を遮断する。
【００２１】
また、本体１１ａに付設された水栓パイプ１３内には、中間部の軸２１ａを中心にシーソ動作するカム従節２１が設けられている。このカム従節２１の一端側の先端はカム原節２０ｃの外周に当接可能となっている。一方、カム従節２１の他端側の先端には、流水を象った流水模型１４が軸１４ｃを介して回動可能に取り付けられている。そして、カム従節２１がシーソ動作した際に流水模型１４が上下方向に近似直線動作を行う。なお、カム従節２１の他端側の先端に長孔を形成し、この長孔を挿通させた軸１４ｃを介して流水模型１４を取り付けるとともに、流水模型１４のガイドを設けるなどして、流水模型１４を上下に直線動作させるようにしてもよい。
図４に示すように、カム従節２１は特に限定はされないが２つの回動部材２２ａ，２２ｂから構成されている。この２つの回動部材２２ａ，２２ｂはそれぞれ軸２１ａを中心に回動可能に設けられている。そして、この２つの回動部材２２ａ，２２ｂはトーションスプリング２２ｃによって互いに連結され一体的に構成されている。このトーションスプリング２２ｃは、水栓ハンドル１２の操作中に流水模型１４に過負荷が作用した時などに、２つの回動部材２２ａ，２２ｂの間の動力伝達経路を遮断する。
なお、ピニオン歯車１８、歯車１９ｂ、歯車１９ｃ及び歯車２０ｂ、カム原節２０ｃ及びカム従節２１は流水模型１４に振動を付与する振動付与手段を構成している。
【００２２】
流水模型１４の主体部分１４ａは円錐台状に形成されている。この主体部分１４ａの横断面を見ると、円弧状の凸部が円錐台の全周に亘って複数形成された形をしている。この各凸部は流水模型１４の母線方向に延在する凸条となっている。つまり、円錐台の母線方向に延在する凸条が当該円錐台の全周に亘って複数好ましくは４つ以上形成された形となっている。
この流水模型１４の主体部分１４ａの上には軸支持部１４ｂが形成され、この軸支持部１４ｂの箇所で軸１４ｃを介して回動部材２２ａに流水模型１４が回動可能に取り付けられている。
ここで、凸条を全周に亘って複数形成したのは、流水のイメージを表現するためであり、また、流水模型１４の主体部分１４ａを円錐台状に形成したのは、実際の水が蛇口から放たれる際に半径方向外方に拡がることから、そのイメージを表現するためである。
【００２３】
図３に示すように、水栓ハンドル１２の基部の裏側には偏心位置に円柱状の突起１２ｂが設けられている。この突起１２ｂは、本体１１ａにおける軸１２ａと同心的な弧状の孔１１ｂに挿入され本体１１ａ内部まで延びている。そして、突起１２ｂは、回動部材２２ｂの一端側の長孔２２ｄ（図３参照）に係合している。そして、突起１２ｂは、水栓ハンドル１２の回転操作に伴って弧状の孔１１ｂ内を移動し、回動部材２２ｂの長孔２２ｄの縁に摺接し、これによって、カム従節２１が軸２１ａを中心にシーソ動作を行う。その結果、水栓ハンドル１２の回転操作に伴い流水模型１４が水栓パイプ１３の口１３ａから出没する。ここで、流水模型１４が水栓パイプ１３の口１３ａから突出した位置では、カム従節２１の一端側の先端がカム原節２０ｃの外周に当接した状態にあるが、流水模型１４が水栓パイプ１３の口１３ａから没した位置では、カム従節２１の一端側の先端がカム原節２０ｃの外周から離れた状態となる。
なお、突起１２ｂに係合可能な位置決め部材１２ｃが設けられている。この位置決め部材１２ｃは弾性を有し、水栓ハンドル１２が最上及び最下位置で突起１２ｂと係合し水栓ハンドル１２の回転位置を保持する。
【００２４】
また、図３に示すように、水栓ハンドル１２の基部の裏側には、軸１２ａと同心的な弧状の突起１２ｃが設けられている。この突起１４ｃは、軸１２ａと同心的な弧状の孔１１ｃに挿入され本体１１ａ内部まで延びている。そして、突起１２ｃは、水栓ハンドル１２の回転操作に伴って、孔１１ｃ内を移動する。この孔１１ｃの脇にはディテクタスイッチ２３が設けられており、水栓ハンドル１２が上方に向けて回転操作されたときに、突起１２ｃがディテクタスイッチ２３をＯＮさせる。反対に、水栓ハンドル１２が下方に向けて回転操作されたときには、突起１２ｃがディテクタスイッチ２３から離れてディテクタスイッチ２３がＯＦＦされる。このディテクタスイッチ２３がＯＮの時にモータ１７が作動し、反対にディテクタスイッチ２３がＯＦＦの時にモータ１７が停止する。
【００２５】
（加熱調理設備６０について）
図１に示すように、加熱調理設備６０はフライパン６３等の鍋を載置するためのゴトク６２を有している。このゴトク６２の上面には偏心位置に３つの孔６０ａが円周方向に等間隔で形成されている。
このゴトク６２の下方には、図５に示すように、メカボックス６５に立設されたロッド６４ａに沿って上下動可能な板状の爪支持部材６４が配設されている。図６に示すように、爪支持部材６４の上面には舌片状の３つの突起６４ｂが円周方向に等間隔で形成されている。この３つの突起６４ｂは、爪支持部材６４の上下動に伴って、ゴトク６２の３つの孔６０ａから出没可能となっている。
また、メカボックス６５には爪支持部材６４を上下動させるための機構が設けられている。
この機構は、図６に示すように、横置き状態で設置されたモータ６６を含んで構成されている。モータ軸にはピニオン歯車６７が付設され、このピニオン歯車６７は、モータ軸に平行な軸６８ａに付設された歯車６８ｂに噛合している。この歯車６８ｂと同じ軸６８ａには、当該歯車６８ｂと同心的に歯車６８ｃが付設されている。また、歯車６８ｃは、軸６８ａに平行な軸６９ａに付設された歯車６９ｂに噛合している。この歯車６９ｂと同じ軸６９ａには、当該歯車６９ｂと同心的に歯車６９ｃが付設されている。この歯車６９ｃは、軸６９ａに平行な軸７０ａに付設された歯車７０ｂに噛合している。この歯車７０ｂと同じ軸７０ａには、当該歯車７０ｂと同心的に円板７０ｃが付設されている。円板７０ｃには偏心位置に軸７１ａ（図５参照）が付設され、この軸７１ａにはクランク７１の下端部が取り付けられている。また、クランク７１の上端部に付設された軸７１ｂは、爪支持部材６４と回り対偶をなすように連結されている。
モータ動力は、ピニオン歯車６７、歯車６８ｂ、歯車６８ｃ、歯車６９ｂ、歯車６９ｃ、歯車７０ｂ、軸７０ａ、円板７０ｃ及びクランク７１を経て爪支持部材６４に伝達される。
なお、図示はしないが、軸７０ａと歯車７０ｂとの間にはトルクリミッタが介装されている。このトルクリミッタは、モータ６６が回転中に爪支持部材６４に過負荷が作用した時などに、軸７０ａと歯車７０ｂとの間の動力伝達経路を遮断する。
【００２６】
加熱調理設備６０の前面には火力調節摘み６１が設けられている。この火力調節摘み６１は中心軸（図示せず。）を中心に回動に構成されている。図７に示すように、火力調節摘み６１には鍔部６１ａが設けられている。鍔部６１ａには円周方向に等間隔に４つの凹部６１ｂが形成されている。また、火力調節摘み６１ａの鍔部６１ａの横には弾性部材７３が設けられている。この弾性部材７３の突起７３ａが火力調節摘み６１の所定の回転位置で凹部６１ｂのいずれか１つに嵌合することで火力調節摘み６１が位置決めされる。
【００２７】
また、火力調節摘み６１と一体的に動作する摘み支持部材７４には鍔部７４ａが設けられている。この鍔部７４ａの円周方向の一部は半径方向外方に膨出している。鍔部７４ａの隣には３つのディテクタスイッチ７５ａ，７５ｂ，７５ｃが設けられており、火力調節摘み６１の回転操作に伴って初期位置の突起７３ａを除く３つの凹部６１ｂのいずれかに嵌合したときに鍔部７４ａの膨出部７４ｂが当接してディテクタスイッチ７５ａ，７５ｂ，７５ｃのうちの１つがＯＮされる。ディテクタスイッチ７５ａ，７５ｂ，７５ｃはそれぞれ抵抗値の異なる抵抗を介してモータ６６に接続されている。これによって、モータ６６の回転速度を変えることができる。
【００２８】
（フライパン６３について）
図８に示すように、フライパン６３は底板６３ａ、周壁６３ｂ及び取っ手６３ｃを備えている。周壁６３ｂの下端には内向の環状壁６３ｄが形成されている。また、周壁６３ｂの上下方向の中間部にはリング６３ｅが設けられている。そして、底板６３ａは環状壁６３ｄとリング６３ｅとの間に設置されている。そして、底板６３ａは、環状壁６３ｄとリング６３ｅとの間に掛け渡されたロッド６３ｆに沿って上下動可能に構成されている。この底板６３ａは、ゴトク６２の３つの孔６２ａから出没する３つの突起６４ｂによって上下動させられる。これによって、フライパン６３に入れられた調理品模型を揺らすことができ、実際の調理がなされているかのようなイメージが醸し出される。
取っ手６３ｃには軸６３ｇを中心に揺動可能なシーソ板６３ｈが設置されている。このシーソ板６３ｈは長手方向途中で屈曲されており、一端側は取っ手６３ｃの基端部から突出し、底板６３ａの上まで延びている。一方、シーソ板６３ｈの他端部に対応した位置にはボタン６３ｉが設けられている。
シーソ板６３ｈの一端側はスプリング６３ｊの付勢力でフライパン６３の底板６３ａに当接する。そして、ボタン６３ｉが押された際にはシーソ板６３ｈの一端側はスプリング６３ｊの付勢力に抗してフライパン６３の底板６３ａから離れる。したがって、調理品模型をフライパン６３に入れると、ボタン６３ｉの操作に伴って当該調理品模型を裏返すことができる。
なお、上記スプリング６３ｊは設けなくてもよい。重力による付勢によって、シーソ板６３ｈの一端側をフライパン６３の底板６３ａに当接させてもよい。
【００２９】
［実施形態２］
実施形態１ではモータ６６の回転速度を変更することによって３つの突起６４ｂの揺れの速さを変更するように構成されているのに対して、この変形形態２では３つの突起６４ｂの揺れの大きさを変更するように構成されている。
この実施形態２では、図９に示すように、モータ８０は、ウォーム歯車８０ａ、歯車８０ｂ、プーリ８０ｃ、ベルト８０ｄを介して大径の傘歯車８０ｅに連結されている。また、傘歯車８０ｅには３つの傘歯車８０ｆが噛合され、各傘歯車８０ｆには板カム８１のカム原節８１ａが一体的に設けられている。そして、このカム原節８１ａには、３つの突起６４ｂがそれぞれ１つずつ形成された３つの爪支持部材（板カム８１の従節）６４ｃに当接している。
図１０に示すように、３つの爪支持部材（板カム８１のカム従節）６４ｃは１つの昇降板８２に支持されている。この昇降板８２は固定板８３の下方に設けられている。昇降板８２には逆Ｕ字形のアーチ８２ａが形成されている。このアーチ８２ａの内側にはその軸６１ｅに付設された円板状の偏心板８４が付設され、火力調節摘み６１を回転させることによって、偏心板８４の外周面がアーチ８２ａの内面に当接可能となっている。そして、アーチ８２ａひいては昇降部材６４ｃは、火力調節摘み６１の回転量に応じて、高さ位置が変更される。
これによって、３つの突起６４ｂの揺れの大きさを変更させることができる。
なお、図示はしないが、この変形形態２にも実施形態１と同様の火力調節摘み６１の位置決め機構が設けられている。
【００３０】
《本発明の変形例》
以上、本発明の実施形態を説明したが、本発明は、かかる実施形態に限定されず、その要旨を逸脱しない範囲で種々変形可能であることは言うまでもない。
例えば、実施形態では、流水模型１４を円錐台状で表面に凸条を形成したが、表面は流水の絵柄であってもよい。また、流水模型１４をビニール紐の上端を束ねたものとし、水栓ハンドル１２の操作に伴ってファンで揺れ動かすようにしてもよい。
【符号の説明】
【００３１】
１０   洗浄設備（洗浄設備模型）
１１   水栓（水栓玩具又は水栓模型）
１１ａ  本体（水栓模型本体）
１２   水栓ハンドル（水栓ハンドル模型）
１３   水栓パイプ（水栓パイプ模型）
１３ａ 口
１４   流水模型
１５   シンク（シンク模型）
１７   モータ
２０ｃ カム原節
２１   カム従節
６０   加熱調理設備（加熱調理設備模型）
１００ キッチン玩具
【図１】
0006435291.tif 000002
【図２】
0006435291.tif 000003
【図３】
0006435291.tif 000004
【図４】
0006435291.tif 000005
【図５】
0006435291.tif 000006
【図６】
0006435291.tif 000007
【図７】
0006435291.tif 000008
【図８】
0006435291.tif 000009
【図９】
0006435291.tif 000010
【図１０】
0006435291.tif 000011